【手続補正書】
【提出日】平成17年9月1日(2005.9.1)
【手続補正１】
【補正対象書類名】特許請求の範囲
【補正対象項目名】全文
【補正方法】変更
【補正の内容】
【特許請求の範囲】
【請求項１】
被写体映像を電気信号に変換する撮像手段と、
該撮像手段から出力された映像データを記録媒体に記録する記録手段と、
該記録媒体に記録された映像データを削除する削除手段と、
該記録媒体に記録された映像データに対して該削除手段による削除の禁止を設定する削除禁止設定手段と、
該記録媒体に記録された複数の映像データそれぞれの縮小画を一画面に表示する表示手段と、
ファイルシステムを用いて、該記録手段を制御し、かつ、該表示手段を、該記録媒体に記録された複数の映像データそれぞれの縮小画を一画面に表示するときに、該削除禁止設定手段により削除禁止設定がされている映像データに対して削除禁止設定がされている旨を示すマークを表示するように制御する制御手段と、
を備えることを特徴とする撮像装置。
【請求項２】
請求項１において、
該削除手段は、該記録媒体に記録された複数の映像データそれぞれの縮小画を該表示手段が一画面に表示している状態で、所望の縮小画を選択し、該選択された縮小画に対応する映像データを削除すること
を特徴とする撮像装置。
【請求項３】
請求項１または２において、
該削除禁止設定手段は、該記録媒体に記録された複数の映像データそれぞれの縮小画を該表示手段が一画面に表示している状態で、所望の縮小画を選択し、該選択された縮小画に対応する映像データに対して該削除手段による削除の禁止を設定すること
を特徴とする撮像装置。
【請求項４】
被写体映像を電気信号に変換する撮像手段と、
該撮像手段から出力された映像データを記録媒体に記録する記録手段と、
該記録媒体に記録された複数の映像データそれぞれの縮小画を一画面に表示する表示手段と、
該記録媒体に記録された複数の映像データそれぞれの縮小画を該表示手段が一画面に表示している状態で、１つ以上の縮小画を選択し、該選択された縮小画に対応する映像データを削除する削除手段と、
該記録媒体に記録された映像データに対して該削除手段による削除の禁止を設定する削除禁止設定手段と、
ファイルシステムを用いて、該記録手段を制御し、かつ、該削除禁止設定手段により削除禁止設定がされている場合、削除禁止設定がされている旨を示すマークを表示するように該表示手段を制御する制御手段と、
を備えることを特徴とする撮像装置。
【請求項５】
請求項４において、
該削除禁止設定手段は、該記録媒体に記録された複数の映像データそれぞれの縮小画を該表示手段が一画面に表示している状態で、所望の縮小画を選択し、該選択された縮小画に対応する映像データに対して該削除手段による削除の禁止を設定すること
を特徴とする撮像装置。
【請求項６】
被写体映像を電気信号に変換する撮像手段と、
該撮像手段から出力された映像データを記録媒体に記録する記録手段と、
該記録媒体に記録された複数の映像データそれぞれの縮小画を一画面に表示する表示手段と、
該記録媒体に記録された映像データを削除する削除手段と、
該記録媒体に記録された複数の映像データそれぞれの縮小画を該表示手段が一画面に表示している状態で、所望の縮小画を選択し、該選択された縮小画に対応する映像データに対して該削除手段による削除の禁止を設定する削除禁止設定手段と、
ファイルシステムを用いて、該記録手段を制御し、かつ、該削除禁止設定手段により削除禁止設定がされている場合、削除禁止設定がされている旨を示すマークを表示するように該表示手段を制御する制御手段と、
を備えることを特徴とする撮像装置。
【請求項７】
請求項１ないし６のいずれかにおいて、
該削除手段による削除または該削除禁止設定手段による削除禁止設定を選択する機能選択表示画面を該表示手段に表示させる機能スイッチ手段と、
該記録媒体に記録された複数の映像データそれぞれの縮小画を該表示手段が一画面に表示している中から所望の縮小画を選択し、また、該機能選択表示画面において該削除手段による削除または該削除禁止設定手段による削除禁止設定を選択する選択スイッチ手段と、
該削除手段による削除または該削除禁止設定手段による削除禁止設定を実行する決定スイッチ手段と、
を備え、
該制御手段は、
該記録媒体に記録された複数の映像データそれぞれの縮小画を該表示手段が一画面に表示している状態で、該選択スイッチ手段により縮小画を選択した後、該機能スイッチ手段により該機能選択表示画面を該表示手段に表示し、該選択スイッチ手段により削除禁止設定を選択し、該決定スイッチ手段により該選択された縮小画に対応する映像データに対して該削除手段による削除禁止または削除可能を設定するように該削除禁止設定手段を制御し、
該記録媒体に記録された複数の映像データそれぞれの縮小画を該表示手段が一画面に表示している状態で、該選択スイッチ手段により縮小画を選択した後、該機能スイッチ手段により該機能選択表示画面を該表示手段に表示し、該選択スイッチ手段により削除を選択し、該決定スイッチ手段により該選択された縮小画に対応する映像データを削除するように該削除手段を制御すること
を特徴とする撮像装置。
【請求項８】
請求項１ないし７のいずれかにおいて、
該制御手段は、映像データの記録時には該映像データに対して該削除手段による削除可能と設定するように該削除禁止設定手段を制御すること
を特徴とする撮像装置。
【請求項９】
請求項１ないし８のいずれかにおいて、
該制御手段は、該記録媒体の残容量を表示するように該表示手段を制御すること
を特徴とする撮像装置。
【請求項１０】
請求項１ないし９のいずれかにおいて、
該映像データは動画映像または静止画映像データであり、
該制御手段は、該記録媒体に記録された複数の動画映像または静止画映像データそれぞれの縮小画を一画面に表示するとともに、動画と静止画とを区別するマークを表示するように該表示手段を制御すること
を特徴とする撮像装置。
【請求項１１】
請求項１ないし１０のいずれかにおいて、
該記録媒体は半導体メモリであること
を特徴とする撮像装置。
【請求項１２】
請求項１ないし１０のいずれかにおいて、
該記録媒体はハードディスクであること
を特徴とする撮像装置。
【請求項１３】
被写体映像を電気信号に変換する撮像手段と、
該撮像手段から出力された動画映像または静止画映像データを所定容量の記録媒体に記録する記録手段と、
該記録媒体に記録された動画映像または静止画映像データを削除する削除手段と、
該記録媒体に記録された動画映像または静止画映像データに対して該削除手段による削除禁止または削除可能のいずれかに設定する削除禁止設定手段と、
該記録媒体に記録された複数の動画映像または静止画映像データそれぞれの縮小画を一画面に表示する表示手段と、
該撮像手段と該記録手段と該削除手段と該削除禁止設定手段と該表示手段とを制御する制御手段と、
該削除手段による削除または該削除禁止設定手段による削除禁止設定を選択する機能選択表示画面を該表示手段に表示させる機能スイッチ手段と、
該記録媒体に記録された複数の動画映像または静止画映像データそれぞれの縮小画を該表示手段が一画面に表示している中から所望の縮小画を選択し、また、該機能選択表示画面において該削除手段による削除または該削除禁止設定手段による削除禁止設定を選択する選択スイッチ手段と、
該削除手段による削除または該削除禁止設定手段による削除禁止設定を実行する決定スイッチ手段と、
を備え、
該制御手段は、
ファイルシステムを用いて、該記録手段を制御し、
動画映像または静止画映像データの記録時には該動画映像または静止画映像データに対して該削除手段による削除可能と設定するように該削除禁止設定手段を制御し、
該記録媒体に記録された複数の動画映像または静止画映像データそれぞれの縮小画を一画面に表示するとともに、動画と静止画とを区別するマークを表示するように該表示手段を制御し、
該記録媒体に記録された複数の動画映像または静止画映像データそれぞれの縮小画を該表示手段が一画面に表示している状態で、該選択スイッチ手段により縮小画を選択した後、該機能スイッチ手段により該機能選択表示画面を該表示手段に表示し、該選択スイッチ手段により削除禁止設定を選択し、該決定スイッチ手段により該選択された縮小画に対応する動画映像または静止画映像データに対して該削除手段による削除禁止または削除可能を設定するように該削除禁止設定手段を制御し、
該記録媒体に記録された複数の動画映像または静止画映像データそれぞれの縮小画を一画面に表示するとともに、該削除禁止設定手段により削除禁止の設定がされている動画映像または静止画映像データに対して削除禁止の設定がされている旨を示すかぎのマークを表示するように該表示手段を制御し、
該記録媒体に記録された複数の動画映像または静止画映像データそれぞれの縮小画を該表示手段が一画面に表示している状態で、該選択スイッチ手段により縮小画を選択した後、該機能スイッチ手段により該機能選択表示画面を該表示手段に表示し、該選択スイッチ手段により削除を選択し、該決定スイッチ手段により該選択された縮小画に対応する動画映像または静止画映像データを削除するように該削除手段を制御し、
該記録媒体の残容量を表示するように該表示手段を制御すること
を特徴とする携帯用撮像装置。
【請求項１４】
被写体映像を電気信号に変換する撮像手段と、
該撮像手段から出力された動画映像または静止画映像データを所定容量の記録媒体に記録する記録手段と、
該記録媒体に記録された動画映像または静止画映像データを削除する削除手段と、
該記録媒体に記録された動画映像または静止画映像データに対して該削除手段による削除禁止または削除可能のいずれかに設定する削除禁止設定手段と、
該記録媒体に記録された複数の動画映像または静止画映像データそれぞれの縮小画を一画面に表示する表示手段と、
該撮像手段と該記録手段と該削除手段と該削除禁止設定手段と該表示手段とを制御する制御手段と、
該削除手段による削除または該削除禁止設定手段による削除禁止設定を選択する機能選択表示画面を該表示手段に表示させる機能スイッチ手段と、
該記録媒体に記録された複数の動画映像または静止画映像データそれぞれの縮小画を該表示手段が一画面に表示している中から所望の縮小画を選択し、また、該機能選択表示画面において該削除手段による削除または該削除禁止設定手段による削除禁止設定を選択する選択スイッチ手段と、
を備え、
該制御手段は、
ファイルシステムを用いて、該記録手段を制御し、
動画映像または静止画映像データの記録時には該動画映像または静止画映像データに対して該削除手段による削除可能と設定するように該削除禁止設定手段を制御し、
該記録媒体に記録された複数の動画映像または静止画映像データそれぞれの縮小画を一画面に表示するとともに、動画と静止画とを区別するマークを表示するように該表示手段を制御し、
該記録媒体に記録された複数の動画映像または静止画映像データそれぞれの縮小画を該表示手段が一画面に表示している状態で、該選択スイッチ手段により縮小画を選択した後、該機能スイッチ手段により該機能選択表示画面を該表示手段に表示し、該選択スイッチ手段により削除禁止設定を選択し、該選択された縮小画に対応する動画映像または静止画映像データに対して該削除手段による削除禁止または削除可能を設定するように該削除禁止設定手段を制御し、
該記録媒体に記録された複数の動画映像または静止画映像データそれぞれの縮小画を一画面に表示するとともに、該削除禁止設定手段により削除禁止の設定がされている動画映像または静止画映像データに対して削除禁止の設定がされている旨を示すかぎのマークを表示するように該表示手段を制御し、
該記録媒体に記録された複数の動画映像または静止画映像データそれぞれの縮小画を該表示手段が一画面に表示している状態で、該選択スイッチ手段により縮小画を選択した後、該機能スイッチ手段により該機能選択表示画面を該表示手段に表示し、該選択スイッチ手段により削除を選択し、該選択された縮小画に対応する動画映像または静止画映像データを削除するように該削除手段を制御し、
該記録媒体の残容量を表示するように該表示手段を制御すること
を特徴とする携帯用撮像装置。
【請求項１５】
被写体映像を電気信号に変換する撮像ステップと、
該撮像ステップにて出力された映像データを、ファイルシステムを用いて、記録媒体に記録する記録ステップと、
該記録媒体に記録された映像データを削除する削除ステップと、
該記録媒体に記録された映像データに対して該削除ステップによる削除の禁止を設定する削除禁止設定ステップと、
該記録媒体に記録された複数の映像データそれぞれの縮小画を一画面に表示するとともに、該削除禁止設定ステップにより削除禁止設定がされている映像データに対して削除禁止設定がされている旨を示すマークを表示する表示ステップと、
を備えることを特徴とする撮像装置における撮像方法。
【請求項１６】
請求項１５において、
該削除ステップは、該記録媒体に記録された複数の映像データそれぞれの縮小画を該表示ステップにて一画面に表示している状態で、所望の縮小画を選択し、該選択された縮小画に対応する映像データを削除するステップであること
を特徴とする撮像装置における撮像方法。
【請求項１７】
請求項１５または１６において、
該削除禁止設定ステップは、該記録媒体に記録された複数の映像データそれぞれの縮小画を該表示ステップにて一画面に表示している状態で、所望の縮小画を選択し、該選択された縮小画に対応する映像データに対して該削除ステップによる削除の禁止を設定するステップであること
を特徴とする撮像装置における撮像方法。
【請求項１８】
被写体映像を電気信号に変換する撮像ステップと、
該撮像ステップにて出力された映像データを、ファイルシステムを用いて、記録媒体に記録する記録ステップと、
該記録媒体に記録された複数の映像データそれぞれの縮小画を一画面に表示する表示ステップと、
該記録媒体に記録された複数の映像データそれぞれの縮小画を該表示ステップにて一画面に表示している状態で、１つ以上の縮小画を選択し、該選択された縮小画に対応する映像データを削除する削除ステップと、
該記録媒体に記録された映像データに対して該削除ステップによる削除の禁止を設定する削除禁止設定ステップと、
を備え、
該表示ステップはさらに、該削除禁止設定ステップにて削除禁止設定がされている場合、削除禁止設定がされている旨を示すマークを表示するステップであること、
を特徴とする撮像装置における撮像方法。
【請求項１９】
請求項１８において、
該削除禁止設定ステップは、該記録媒体に記録された複数の映像データそれぞれの縮小画を該表示ステップにて一画面に表示している状態で、所望の縮小画を選択し、該選択された縮小画に対応する映像データに対して該削除ステップによる削除の禁止を設定するステップであること
を特徴とする撮像装置における撮像方法。
【請求項２０】
被写体映像を電気信号に変換する撮像ステップと、
該撮像ステップにて出力された映像データを、ファイルシステムを用いて、記録媒体に記録する記録ステップと、
該記録媒体に記録された複数の映像データそれぞれの縮小画を一画面に表示する表示ステップと、
該記録媒体に記録された映像データを削除する削除ステップと、
該記録媒体に記録された複数の映像データそれぞれの縮小画を該表示ステップにて一画面に表示している状態で、所望の縮小画を選択し、該選択された縮小画に対応する映像データに対して該削除ステップによる削除の禁止を設定する削除禁止設定ステップと、
を備え、
該表示ステップはさらに、該削除禁止設定ステップにて削除禁止設定がされている場合、削除禁止設定がされている旨を示すマークを表示するステップであること、
を特徴とする撮像装置における撮像方法。
【請求項２１】
請求項１５ないし２０のいずれかにおいて、
該撮像装置は、
該削除ステップによる削除または該削除禁止設定ステップによる削除禁止設定を選択する機能選択表示画面を表示させる機能スイッチ手段と、
該記録媒体に記録された複数の映像データそれぞれの縮小画を該表示ステップにて一画面に表示している中から所望の縮小画を選択し、また、該機能選択表示画面において該削除ステップによる削除または該削除禁止設定ステップによる削除禁止設定を選択する選択スイッチ手段と、
該削除ステップによる削除または該削除禁止設定ステップによる削除禁止設定を実行する決定スイッチ手段と、
を備え、
該削除禁止設定ステップは、該記録媒体に記録された複数の映像データそれぞれの縮小画を該表示ステップにて一画面に表示している状態で、該選択スイッチ手段により縮小画を選択した後、該機能スイッチ手段により該機能選択表示画面を表示し、該選択スイッチ手段により削除禁止設定を選択し、該決定スイッチ手段により該選択された縮小画に対応する映像データに対して該削除ステップによる削除禁止または削除可能を設定するステップであり、
該削除ステップは、該記録媒体に記録された複数の映像データそれぞれの縮小画を該表示ステップにて一画面に表示している状態で、該選択スイッチ手段により縮小画を選択した後、該機能スイッチ手段により該機能選択表示画面を表示し、該選択スイッチ手段により削除を選択し、該決定スイッチ手段により該選択された縮小画に対応する映像データを削除するステップであること
を特徴とする撮像装置における撮像方法。
【請求項２２】
請求項１５ないし２１のいずれかにおいて、
該記録ステップでは、該映像データに対して該削除ステップによる削除可能と設定されること
を特徴とする撮像装置における撮像方法。
【請求項２３】
請求項１５ないし２２のいずれかにおいて、
該記録媒体の残容量を表示するステップと、
備えることを特徴とする撮像装置における撮像方法。
【請求項２４】
請求項１５ないし２３のいずれかにおいて、
該映像データは動画映像または静止画映像データであり、
該表示ステップは、該記録媒体に記録された複数の動画映像または静止画映像データそれぞれの縮小画を一画面に表示するとともに、動画と静止画とを区別するマークを表示するステップであること
を特徴とする撮像装置における撮像方法。
【請求項２５】
請求項１５ないし２４のいずれかにおいて、
該記録媒体は半導体メモリであること
を特徴とする撮像装置における撮像方法。
【請求項２６】
請求項１５ないし２４のいずれかにおいて、
該記録媒体はハードディスクであること
を特徴とする撮像装置における撮像方法。
【請求項２７】
被写体映像を電気信号に変換する撮像ステップと、
該撮像ステップにて出力された動画映像または静止画映像データを、ファイルシステムを用いて、所定容量の記録媒体に記録する記録ステップと、
該記録媒体の残容量を表示するステップと、
該記録媒体に記録された動画映像または静止画映像データを削除する削除ステップと、
該記録媒体に記録された動画映像または静止画映像データに対して該削除ステップによる削除禁止または削除可能のいずれかに設定する削除禁止設定ステップと、
該記録媒体に記録された複数の動画映像または静止画映像データそれぞれの縮小画を一画面に表示する表示ステップと、
を備える携帯用撮像装置における撮像方法であって、
該撮像装置は、
該削除ステップによる削除または該削除禁止設定ステップによる削除禁止設定を選択する機能選択表示画面を表示させる機能スイッチ手段と、
該記録媒体に記録された複数の動画映像または静止画映像データそれぞれの縮小画を該表示ステップにて一画面に表示している中から所望の縮小画を選択し、また、該機能選択表示画面において該削除ステップによる削除または該削除禁止設定ステップによる削除禁止設定を選択する選択スイッチ手段と、
該削除ステップによる削除または該削除禁止設定ステップによる削除禁止設定を実行する決定スイッチ手段と、
を備え、
該記録ステップでは、該動画映像または静止画映像データに対して該削除ステップによる削除可能と設定され、
該表示ステップは、該記録媒体に記録された複数の動画映像または静止画映像データそれぞれの縮小画を一画面に表示するとともに、動画と静止画とを区別するマークを表示するステップであり、
該削除禁止設定ステップは、該記録媒体に記録された複数の動画映像または静止画映像データそれぞれの縮小画を該表示ステップにて一画面に表示している状態で、該選択スイッチ手段により縮小画を選択した後、該機能スイッチ手段により該機能選択表示画面を表示し、該選択スイッチ手段により削除禁止設定を選択し、該決定スイッチ手段により該選択された縮小画に対応する動画映像または静止画映像データに対して該削除ステップによる削除禁止または削除可能を設定するステップであり、
該表示ステップは、該記録媒体に記録された複数の動画映像または静止画映像データそれぞれの縮小画を一画面に表示するとともに、該削除禁止設定ステップにより削除禁止の設定がされている動画映像または静止画映像データに対して削除禁止の設定がされている旨を示すかぎのマークを表示するステップであり、
該削除ステップは、該記録媒体に記録された複数の動画映像または静止画映像データそれぞれの縮小画を該表示ステップにて一画面に表示している状態で、該選択スイッチ手段により縮小画を選択した後、該機能スイッチ手段により該機能選択表示画面を表示し、該選択スイッチ手段により削除を選択し、該決定スイッチ手段により該選択された縮小画に対応する動画映像または静止画映像データを削除するステップであること
を特徴とする携帯用撮像装置における撮像方法。
【請求項２８】
被写体映像を電気信号に変換する撮像ステップと、
該撮像ステップにて出力された動画映像または静止画映像データを、ファイルシステムを用いて、所定容量の記録媒体に記録する記録ステップと、
該記録媒体の残容量を表示するステップと、
該記録媒体に記録された動画映像または静止画映像データを削除する削除ステップと、
該記録媒体に記録された動画映像または静止画映像データに対して該削除ステップによる削除禁止または削除可能のいずれかに設定する削除禁止設定ステップと、
該記録媒体に記録された複数の動画映像または静止画映像データそれぞれの縮小画を一画面に表示する表示ステップと、
を備える携帯用撮像装置における撮像方法であって、
該撮像装置は、
該削除ステップによる削除または該削除禁止設定ステップによる削除禁止設定を選択する機能選択表示画面を表示させる機能スイッチ手段と、
該記録媒体に記録された複数の動画映像または静止画映像データそれぞれの縮小画を該表示ステップにて一画面に表示している中から所望の縮小画を選択し、また、該機能選択表示画面において該削除ステップによる削除または該削除禁止設定ステップによる削除禁止設定を選択する選択スイッチ手段と、
を備え、
該記録ステップでは、該動画映像または静止画映像データに対して該削除ステップによる削除可能と設定され、
該表示ステップは、該記録媒体に記録された複数の動画映像または静止画映像データそれぞれの縮小画を一画面に表示するとともに、動画と静止画とを区別するマークを表示するステップであり、
該削除禁止設定ステップは、該記録媒体に記録された複数の動画映像または静止画映像データそれぞれの縮小画を該表示ステップにて一画面に表示している状態で、該選択スイッチ手段により縮小画を選択した後、該機能スイッチ手段により該機能選択表示画面を表示し、該選択スイッチ手段により削除禁止設定を選択し、該選択された縮小画に対応する動画映像または静止画映像データに対して該削除ステップによる削除禁止または削除可能を設定するステップであり、
該表示ステップは、該記録媒体に記録された複数の動画映像または静止画映像データそれぞれの縮小画を一画面に表示するとともに、該削除禁止設定ステップにより削除禁止の設定がされている動画映像または静止画映像データに対して削除禁止の設定がされている旨を示すかぎのマークを表示するステップであり、
該削除ステップは、該記録媒体に記録された複数の動画映像または静止画映像データそれぞれの縮小画を該表示ステップにて一画面に表示している状態で、該選択スイッチ手段により縮小画を選択した後、該機能スイッチ手段により該機能選択表示画面を表示し、該選択スイッチ手段により削除を選択し、該選択された縮小画に対応する動画映像または静止画映像データを削除するステップであること
を特徴とする携帯用撮像装置における撮像方法。
【請求項２９】
請求項７において、
前記選択スイッチ手段は、十字ボタンによって構成されること、
を特徴とする撮像装置。
【請求項３０】
請求項１３または１４において、
前記選択スイッチ手段は、十字ボタンによって構成されること、
を特徴とする携帯用撮像装置。
【請求項３１】
請求項２１において、
前記選択スイッチ手段は、十字ボタンによって構成されること、
を特徴とする撮像装置における撮像方法。
【請求項３２】
請求項２７または２８において、
前記選択スイッチ手段は、十字ボタンによって構成されること、
を特徴とする携帯用撮像装置における撮像方法。